(57)【特許請求の範囲】
【請求項１】
インプラントの上部構造を作製するための支台模型に埋入されたインプラントアナログの位置精度を検証するときに、隣接する他のテンポラリシリンダと連結用部材により連結された状態で、前記インプラントアナログに取り付けられるテンポラリシリンダであって、
前記連結用部材を担持させる支持部がシリンダ本体に形成されたテンポラリシリンダ。
【請求項２】
前記支持部は、前記シリンダ本体の周囲面から突出した突起部である請求項１記載のテンポラリシリンダ。
【請求項３】
前記突起部は、前記シリンダ本体から水平方向に突出している請求項２記載のテンポラリシリンダ。
【請求項４】
前記突起部は、先端部側から基端部側に向かって下り傾斜である請求項３記載のテンポラリシリンダ。
【請求項５】
前記突起部は、先端部から基端部に向かって徐々に細くなるように形成されている請求項４記載のテンポラリシリンダ。
【請求項６】
前記突起部は、Ｙ字状に形成された請求項２記載のテンポラリシリンダ。
【請求項７】
前記突起部には、前記連結用部材が配置される凹部が形成されている請求項２記載のテンポラリシリンダ。
【請求項８】
前記凹部は、前記シリンダ本体の基端部側および先端部側に開口部を向けて形成されている請求項７記載のテンポラリシリンダ。
【請求項９】
前記突起部には、前記連結用部材を挿通させる貫通孔が形成されている請求項２記載のテンポラリシリンダ。
【請求項１０】
前記突起部の先端面は、円弧面に形成されている請求項２記載のテンポラリシリンダ。
【請求項１１】
前記突起部は、球体状に形成された請求項２記載のテンポラリシリンダ。
【請求項１２】
前記支持部は、前記シリンダ本体に形成された窪みである請求項１記載のテンポラリシリンダ。
【請求項１３】
前記窪みは、前記シリンダ本体の先端部に形成された請求項１２記載のテンポラリシリンダ。
【請求項１４】
前記窪みは、前記シリンダ本体の周囲面に形成された請求項１２記載のテンポラリシリンダ。
【請求項１５】
前記支持部は、前記シリンダ本体に形成された貫通孔である請求項１記載のテンポラリシリンダ。
【請求項１６】
前記支持部は、前記シリンダ本体の頬側および頬側の反対側の両方に形成されている請求項１から１５のいずれかの項に記載のテンポラリシリンダ。
【請求項１７】
前記請求項１から１６のいずれかの項に記載のテンポラリシリンダから前記シリンダ本体の前記支持部を含む先端部側を切除して作製するテンポラリアバットメントの製造方法。
【請求項１８】
前記テンポラリシリンダの前記シリンダ本体を、基端部から先端部に向けて先細り形状に形成する請求項１７に記載のテンポラリアバットメントの製造方法。
【請求項１９】
前記請求項１から１６のいずれかの項に記載のテンポラリシリンダの支持部に担持させるために、少なくとも一方の端部が折り曲げられたワイヤ状のテンポラリシリンダの連結に用いられる連結用部材。
【請求項２０】
前記請求項２から１１のいずれかの項に記載のテンポラリシリンダの支持部に担持させて、隣接する他のテンポラリシリンダを連結するために、前記テンポラリシリンダの前記支持部であるシリンダ本体から突出した突起部に引っ掛けるための欠損部が形成され、前記欠損部を前記テンポラリシリンダの突起部に引っ掛けた状態で、前記他のテンポラリシリンダの支持部に担持させる板状のテンポラリシリンダの連結に用いられる連結用部材。
【発明の詳細な説明】
【技術分野】
【０００１】
本発明は、欠損した歯牙の代替となるインプラントの上部構造を作製する際に、患者から採得された印象に基づいて作製される支台模型の精度を検証するためのテンポラリシリンダおよびテンポラリアバットメントの製造方法並びにテンポラリシリンダの連結に用いられる連結用部材に関するものである。
【背景技術】
【０００２】
インプラントは、歯肉に埋入されるインプラント体またはフィクスチャーと称される人工歯根と、人工歯根に取り付けられるアバットメントと、アバットメントに被せられる上部構造とから構成される。
上部構造を作製するときには、患者の歯肉に埋入されたインプラント体の位置を正確に把握する必要があるため、予め患者から印象を採得したインデックス取得用の支台模型が作製される。または、支台模型を作製せずに、インプラント体の位置を画像処理により測定する装置が開発されている（例えば、特許文献１参照。）。
【０００３】
この特許文献１に記載のインプラント構造体の測定方法およびその測定装置は、顎内に埋め込まれたインプラント構造体の各雌ネジに、スペーサを装着し、２台のカメラで各スペーサの被測定部を写し、写されたモニター装置の画面上で、被測定部の形状をエッジファインド処理し、被測定部の形状および位置を読み取って、雌ネジの位置、ネジ方向、位置関係および咬合平面を算出するというものである。
【０００４】
しかし、２台のカメラを異なる方向から患者の口腔内を撮影するのは、口腔内の空間が狭いため、困難であることが想定される。そのような場合には、特許文献１では、口腔内を印象によって型取りして、この印象を撮影することで、雌ネジの位置およびネジ方向と、咬合平面とを測定することが記載されており、やはり、患者から印象を採得した模型を作製せざるを得ないようである。
【０００５】
インデックス取得用の支台模型は、インプラント体の代わりにインプラントアナログが埋入されて、インプラント体の位置を示す石膏模型である。
この支台模型に埋入されたインプラントアナログが、正確にインプラント体を埋入した位置を示しているか否かは、テンポラリシリンダを用いることで、インプラントアナログの位置精度が検証される。
【０００６】
この検証は、まず、患者の歯肉に埋入されたインプラント体にテンポラリシリンダを取り付けた状態で、隣接するテンポラリシリンダ同士を連結用部材により連結する。次に、テンポラリシリンダ同士が連結された状態で、インプラント体からテンポラリシリンダを取り外す。そして、この連結状態のテンポラリシリンダを支台模型のインプラントアナログに装着する。そうすることで、支台模型のインプラントアナログ同士の間隔が小さかったり、大きかったりすると、連結用ワイヤの張り具合が弛んだり、引っ張られたりするため、支台模型のインプラントアナログの埋入位置が、患者のインプラント体の位置と異なっていることが簡単にわかる。
【先行技術文献】
【特許文献】
【０００７】
【特許文献１】特開平６−１５４２５２号公報
【発明の概要】
【発明が解決しようとする課題】
【０００８】
しかし、テンポラリシリンダは、内部にインプラント体にねじ止めするための穴が軸線に沿って形成された単なる筒状体であるため、連結用ワイヤをレジンにて固定するときに連結用ワイヤを固定し難い。
【０００９】
そこで本発明は、容易に連結用部材による固定が可能なテンポラリシリンダおよびテンポラリアバットメントの製造方法並びにテンポラリシリンダの連結に用いられる連結用部材を提供することを目的とする。
【課題を解決するための手段】
【００１０】
本発明は、インプラントの上部構造を作製するための支台模型に埋入されたインプラントアナログの位置精度を検証するときに、隣接する他のテンポラリシリンダと連結用部材により連結された状態で、前記インプラントアナログに取り付けられるテンポラリシリンダであって、前記連結用部材を担持させる支持部がシリンダ本体に形成されたことを特徴とする。
【００１１】
本発明のテンポラリシリンダによれば、支持部がシリンダ本体に形成されているため、連結用部材を支持部に配置することで、下支えさせることができる。
【００１２】
前記支持部が、シリンダ本体の周囲面から突出した突起部であると、シリンダ本体から突出した突起部に連結用部材載置することで、容易に連結用部材を突起部に架橋させることができる。
【００１３】
前記突起部が、前記シリンダ本体から水平方向に突出していると、上顎と下顎とで、テンポラリシリンダの向きが入れ替わっても、連結用部材を突起部の上側に配置することで、テンポラリシリンダの上下方向の向きに関係無く、連結用部材を突起部に配置することができる。
【００１４】
前記突起部が、先端側から基端側に向かって下り傾斜であると、連結用部材を載置したときに、自重によって基端部側に寄るため、連結用部材が突起部から滑落し難い。
【００１５】
前記突起部が、先端部から基端部に向かって徐々に細くなるように形成されていると、先端側から基端側に向かって下り傾斜を有する突起部を形成することができる。
【００１６】
前記突起部が、Ｙ字状に形成されていても、先端側から基端側に向かって下り傾斜を有する突起部とすることができる。
【００１７】
前記突起部には、前記連結用部材が配置される凹部が形成されていると、この凹部に連結用部材を載置して下支えさせることができる。
【００１８】
前記凹部は、前記シリンダ本体の基端部側および先端部側に開口部を向けて形成されていると、上顎と下顎とで、テンポラリシリンダの向きが入れ替わっても、連結用部材を上側となった凹部に配置することで、テンポラリシリンダの上下方向の向きに関係無く、連結用部材を凹部に配置することができる。
【００１９】
前記突起部に、前記連結用部材を挿通させる貫通孔が形成されていると、連結用部材を貫通孔に挿通させて下支えさせることができる。
【００２０】
前記突起部の先端面が円弧面に形成されていると、患者の口腔内で、突起部の先端が粘膜面に接触しても、粘膜面を傷付け難くすることができる。
【００２１】
前記支持部を、前記シリンダ本体に形成された窪みとすることができる。シリンダ本体に形成された窪みに連結用部材載置することで、容易に連結用部材を窪みに架橋させることができる。
【００２２】
前記窪みが、前記シリンダ本体の先端部に形成されていると、先端部に形成された窪みに連結用部材を載置して下支えさせることができる。
【００２３】
前記窪みが、前記シリンダ本体の周囲面に形成されていると、周囲面に形成された窪みに連結用部材を載置して下支えさせることができる。
【００２４】
前記支持部が、前記シリンダ本体に形成された貫通孔であると、連結用部材を貫通孔に挿通させて下支えさせることができる。
【００２５】
前記支持部は、前記シリンダ本体の頬側および頬側の反対側の両方に形成されていると、連結用部材をシリンダ本体の頬側および頬側の反対側のいずれかを選択して載置することができる。
【００２６】
本発明のテンポラリアバットメントの製造方法は、本発明のテンポラリシリンダから前記シリンダ本体の前記支持部を含む先端部側を切除して作製することを特徴とする。
本発明のテンポラリアバットメントによれば、シリンダ本体の支持部を含む先端部側を切除することで、シリンダ本体の残余部分を、テンポラリアバットメントとすることができる。従って、テンポラリシリンダを廃棄せずに、テンポラリアバットメントとして利用することができる。
【００２７】
前記テンポラリシリンダの前記シリンダ本体を、基端部から先端部に向けて先細り形状に形成すると、テンポラリシリンダからテンポラリアバットメントを作製して上部構造を作製して被せる際に、上部構造の挿入向きがテンポラリアバットメントの軸線方向から多少ずれていても入れやすい。
【００２８】
本発明のテンポラリシリンダの連結に用いられる連結用部材は、本発明のテンポラリシリンダの支持部に担持させるために、少なくとも一方の端部が折り曲げられたワイヤ状としたものである。
本発明のワイヤ状の連結用部材は、一方の端部が折り曲げられているため、テンポラリシリンダの支持部に、連結部材の端部が掛けやすく、脱落し難い。
【００２９】
本発明のテンポラリシリンダの連結に用いられる連結用部材は、本発明のテンポラリシリンダの支持部に担持させて、隣接する他のテンポラリシリンダを連結するために、前記テンポラリシリンダの前記支持部であるシリンダ本体から突出した突起部に引っ掛けるための欠損部が形成され、前記欠損部を前記テンポラリシリンダの突起部に引っ掛けた状態で、前記他のテンポラリシリンダの支持部に担持させる板状としたものである。
【００３０】
本発明の板状の連結用部材は、欠損部が形成されている。本発明のテンポラリシリンダの支持部として形成された突起部に引っ掛け、隣接する他のテンポラリシリンダの支持部に担持させる。このようにして、本発明の連結用部材を板状としても、テンポラリシリンダを連結することができる。
【発明の効果】
【００３１】
本発明は、連結用部材を支持部に配置することで、下支えさせることができるため、容易に連結用部材による固定が可能である。
【図面の簡単な説明】
【００３２】
【図１】本発明の実施の形態に係るテンポラリシリンダを示す斜視図である。
【図２】図１に示すテンポラリシリンダの図であり、ねじを取り付けた状態の断面図である。
【図３】支台模型を作製する工程を説明するための図であり、患者の歯肉に埋入されたインプラント体にインプレッションコーピングが取り付けられた状態を示す図である。
【図４】図３に続く支台模型を作製する工程を説明するための図であり、印象材が盛られた印象トレイにより印象を転写している状態の図である。
【図５】図４に続く支台模型を作製する工程を説明するための図であり、インプレッションコーピングをインプラント体から取り外し、印象材を印象トレイから取り外した状態の図である。
【図６】図５に続く支台模型を作製する工程を説明するための図であり、インプレッションコーピングにインプラントアナログを取り付けた状態の図である。
【図７】図６に続く支台模型を作製する工程を説明するための図であり、インプラントアナログを石膏により埋入した状態の支台模型の図である。
【図８】患者のインプラント体にテンポラリシリンダを取り付け、連結用ワイヤを配置して固定用レジンにより固定した状態の図である。
【図９】図８に示す連結したテンポラリシリンダを支台模型のインプラントアナログへ取り付けた状態の図である。
【図１０】（Ａ）〜（Ｆ）は、図１に示すテンポラリシリンダの第１〜第６変形例の図である。
【図１１】（Ａ）〜（Ｅ）は、図１に示すテンポラリシリンダの第７〜第１１変形例の図である。
【図１２】図１に示すテンポラリシリンダの第１２変形例の図である。
【図１３】本発明の実施の形態に係るテンポラリシリンダから作製されるテンポラリアバットメントを説明するための図であり、（Ａ）はテンポラリシリンダの突起部の切除およびシリンダ本体の先端部側の切除を説明するための図、（Ｂ）は先細り形状のシリンダ本体を説明するための図である。
【図１４】本発明の実施の形態に係るテンポラリシリンダの連結に用いられる連結用ワイヤを説明するための図であり、（Ａ）は両端部が同じ側に曲げられた状態の図、（Ｂ）は両端部が異なる側に曲げられた状態の図、（Ｃ）は一方が鋭角に曲げられ、他方を直線状とした状態の図、（Ｄ）は、ワイヤ自体に至るまで曲げられ、他方を直線状とした状態の図である。
【図１５】本発明の実施の形態に係るテンポラリシリンダの連結に用いられる連結用板材を説明するための図であり、（Ａ）は第２欠損部を長手方向に沿った切り欠き部とした図、（Ｂ）は第２欠損部を長孔とした図、（Ｃ）は第２欠損部を板幅方向を半分とする切り欠き部とした図である。
【発明を実施するための形態】
【００３３】
本発明の実施の形態に係るテンポラリシリンダを図面に基づいて説明する。
図１に示すようにテンポラリシリンダ１０は、シリンダ本体２０と、突起部３０とを備えている。
シリンダ本体２０は、スクリュードライバ（図示せず）を差し込むための細長の挿入口２１が形成されていることで、内部が軸線に沿って空洞が形成された筒状に形成されている。シリンダ本体２０の基端部には、ねじ４０が挿通するねじ孔２２が形成されている。
突起部３０は、シリンダ本体２０に一対設けられている。突起部３０は、シリンダ本体２０の周囲面２０ａから水平方向に、かつそれぞれが反対方向に延びるように突出している。突起部３０は、先端部から基端部に向かって徐々に細くなるように、円錐形状に形成されている
【００３４】
このように構成されたテンポラリシリンダ１０は、患者から採得された印象に基づいて作製される支台模型の精度を検証するため用いられる。
ここで、支台模型の製造方法について図面に基づいて説明する。
図３に示すように、まず、歯科医師は、患者の歯肉１１０に埋入されたインプラント体１０１にインプレッションコーピング１０２を立設する。
【００３５】
次に、図４に示すように、歯科医師は、印象材１１２を盛った印象トレイ１１１を準備して、患者の歯肉に被せ、印象材１１２に、患者の歯肉形状や、図示しない隣在歯の状態を転写して、印象材１１２を硬化させる。
次に、図５に示すように、歯科医師は、インプレッションコーピング１０２をインプラント体１０１から取り外し、患者から取り外した印象トレイ１１１から、インプレッションコーピング１０２付きの印象材１１２を取り出す。
【００３６】
または、歯科医師は、図４に示す状態から、印象材１１２を印象トレイ１１１ごと、インプレッションコーピング１０２から取り外す。次に、歯科医師は、インプレッションコーピング１０２をインプラント体１０１から取り外した後に、インプレッションコーピング１０２を印象材１１２に復位させ、印象トレイ１１１を印象材１１２から外す。こうすることによっても、インプレッションコーピング１０２付きの印象材１１２を得ることができる。
そして、歯科医師は、このインプレッションコーピング１０２付きの印象材１１２を歯科技工所へ送付する。
【００３７】
歯科技工所では、歯科技工士が、図６に示すように、印象材１１２に取り込まれているインプレッションコーピング１０２にインプラントアナログ１０３を取り付ける。
そして、患者の印象が転写された印象材１１２を凹型として、インプラントアナログ１０３を含むかたちで、石膏などの成型材により凸型を成形する。
石膏が硬化すると、図７に示すように、歯科技工士は、インプレッションコーピング１０２をインプラントアナログ１０３から外して、印象材１１２を石膏１１３から取り外す。このようにして作製される支台模型１００は、インプラントアナログ１０３上に、上部構造が作製されるために用いられる。
【００３８】
支台模型１００は、図４に示すように、印象材１１２に患者の印象が転写され、図６および図７に示すように、石膏１１３により印象材１１２の形状が転写されるため、印象材１１２の硬化の際や石膏１１３の硬化の際に、収縮する。この収縮は、隣接するインプラントアナログ１０３同士の位置関係と、患者の歯肉１１０に埋入されたインプラント体１０１同士の位置関係との相違となって表れる。支台模型１００は、上部構造が作製されるために用いられるため、高い精度が求められる。
【００３９】
そこで、歯科医師は、図８に示すように、患者の歯肉１１０に埋入されたインプラント体１０１に、図１に示すテンポラリシリンダ１０を取り付ける。このテンポラリシリンダ１０をインプラント体１０１に取り付けるときは、ねじ４０をシリンダ本体２０の挿入口２１から挿入して、基端部（底部）から突き出させた状態で、インプラント体１０１に挿入して、挿入口２１からスクリュードライバを挿入して、インプラント体１０１にねじ４０をねじ込むことで、テンポラリシリンダ１０が固定される。
【００４０】
このようにして、テンポラリシリンダ１０がインプラント体１０１に取り付けられると、歯科医師は、連結用部材の一例である連結用ワイヤ１１４を、それぞれのテンポラリシリンダ１０の突起部３０の間に跨るように配置する。
このとき、連結用ワイヤ１１４を、下顎であれば、頬側の突起部３０同士、または舌側の突起部３０同士に配置する。また、上顎であれば、頬側の突起部３０同士、または口蓋側の突起部３０同士に配置する。
突起部３０はシリンダ本体２０から突出しているため、突起部３０を連結用ワイヤ１１４のための支持部として載置することで、容易に連結用ワイヤ１１４を突起部３０に架橋させることができる。
【００４１】
突起部３０は、円錐形状に形成されていることで、先端部３０ａから基端部３０ｂに向かって徐々に細くなっているため、先端部３０ａから基端部３０ｂに向かって下り傾斜である。従って、直径が太い先端部３０ａに連結用ワイヤ１１４を配置しても、直径が細い基端部３０ｂに向かって自重により基端部３０ｂ側に寄るため、連結用ワイヤ１１４が突起部３０から滑落し難い。
【００４２】
テンポラリシリンダ１０に連結用ワイヤ１１４を配置すると、歯科医師は、接着材である固定用レジン１１５を、突起部３０上の連結用ワイヤ１１４を含む範囲に塗布することで、連結用ワイヤ１１４をテンポラリシリンダ１０に固定する。
【００４３】
テンポラリシリンダ１０同士の連結が完了すると、歯科医師は、テンポラリシリンダ１０をインプラント体１０１から取り付け時と反対の操作で取り外す。
そして、歯科医師は、連結用ワイヤ１１４により繋がったテンポラリシリンダ１０を歯科技工所へ送付する。
【００４４】
歯科技工所では、歯科技工士が、連結用ワイヤ１１４により繋がったテンポラリシリンダ１０を、図９に示すように、支台模型１００に取り付ける。支台模型１００のインプラントアナログ１０３の間隔が、患者のインプラント体１０１の間隔より広ければ、一端に位置するテンポラリシリンダ１０を、これに対応するインプラントアナログ１０３に取り付けると、連結用ワイヤ１１４によりテンポラリシリンダ１０の間隔が決定されるため、他のインプラントアナログ１０３に取り付けることができない。
【００４５】
また、支台模型１００のインプラントアナログ１０３の間隔が、患者のインプラント体１０１の間隔より狭ければ、一端に位置するテンポラリシリンダ１０を、これに対応するインプラントアナログ１０３に取り付け、他のテンポラリシリンダ１０を他のインプラントアナログ１０３に取り付けると、連結用ワイヤ１１４が弛んだ状態となる。
これにより、患者の状態を支台模型１００が精度よく再現しているか否かが判断される。
【００４６】
このように、テンポラリシリンダ１０のシリンダ本体２０には、連結用ワイヤ１１４を担持する支持部として突起部３０が形成されているため、簡単に連結用ワイヤ１１４が配置することができ、接着材である固定用レジン１１５を付着させたときに、突起部３０に引っ掛かり保持させることができる。従って、テンポラリシリンダ１０は、容易に連結用ワイヤ１１４による固定が可能である。
【００４７】
患者のインプラント体１０１が下顎に埋入されていると、テンポラリシリンダ１０をインプラント体１０１に取り付けると、テンポラリシリンダ１０の基端１０ａ（ねじ４０が突出する側）は下方に向き、先端１０ｂは上方を向く。反対に、患者のインプラント体１０１が下顎に埋入されていると、テンポラリシリンダ１０の基端１０ａは上方に向き、先端１０ｂは下方を向く。
しかし、テンポラリシリンダ１０の突起部３０は水平方向に突出しているため、上顎と下顎とで、テンポラリシリンダ１０の向きが入れ替わっても、連結用ワイヤ１１４を突起部３０の上側に配置することで、テンポラリシリンダ１０の上下方向の向きに関係無く、連結用ワイヤ１１４を突起部３０に配置することができる。
特に、突起部３０が円錐形状に形成されているため、上顎と下顎とで、テンポラリシリンダ１０の向きが入れ替わっても、突起部３０に配置した連結用ワイヤ１１４を自重により基端部３０ｂ側に寄せることができる。
【００４８】
また、突起部３０は、シリンダ本体２０の頬側とその反対側との両方に形成されているため、インプラント体１０１に取り付けて連結用ワイヤ１１４により連結するときに、連結用ワイヤ１１４を担持させやすい方の突起部３０を選んで、連結用ワイヤ１１４を突起部３０に配置することができる。
【００４９】
なお、本実施の形態では、突起部３０が円錐形状に形成されているが、三角形状の金属製の板片により形成されていてもよい。
【００５０】
ここで、テンポラリシリンダの変形例について、図面に基づいて説明する。まず、突起部の変形例について説明する。
【００５１】
（第１変形例）
図１０（Ａ）に示すように、テンポラリシリンダ１１は、シリンダ本体２０の周囲面２０ａから、支持部としてのＹ字状の突起部３１が水平方向に突出している。
突起部３１がＹ字状に形成されているため、連結用ワイヤを突起部３１に配置したときに、突起部３１の先端部の傾斜によって、連結用ワイヤが自重により基端部側に寄るため、突起部３０から連結用ワイヤが滑落し難い。
また、この突起部３１の先端部の傾斜は、突起部３１がＹ字状に形成されているため、テンポラリシリンダ１１の基端１１ａが下方を向いたり、上方を向いたりして、テンポラリシリンダ１１の向きが入れ替わっても、先端部３１ａ側から基端部３１ｂ側に向かって下り傾斜となる。従って、連結用ワイヤを突起部３０の上方側に配置することで、突起部３０から連結用ワイヤが落ちにくくすることができる。
【００５２】
（第２変形例）
図１０（Ｂ）に示すように、テンポラリシリンダ１２は、シリンダ本体２０の周囲面２０ａから、支持部としての突起部３２が水平方向に突出している。突起部３２は、円柱状でも、四角柱状でもよいが、この突起部３２には、先端側および基端側に開口部が向いた凹部３２ａが形成されている。図１０（Ｂ）に示す凹部３２ａはＶ字状に形成されているが、断面が矩形状の溝でも、溝底が半円柱状でもよい。
【００５３】
このように構成されるテンポラリシリンダ１２は、突起部３２に凹部３２ａが形成されているため、この凹部３２ａに連結用ワイヤを支持させることで、連結用ワイヤが滑落し難くなり、簡単に連結用ワイヤを下支えさせることができる。また、連結用ワイヤが凹部３２ａに嵌るため、連結用ワイヤと凹部３２ａの内側面とが固定用レジンによってしっかりと接着される。
更に、基端１２ａ側に開口が向いた凹部３２ａと、先端１２ｂ側に開口が向いた凹部３２ａとの両方が形成されているため、上顎と下顎とで、テンポラリシリンダ１２の向きが入れ替わっても、連結用ワイヤを担持させることができる。
【００５４】
（第３変形例）
図１０（Ｃ）に示すように、テンポラリシリンダ１３は、シリンダ本体２０の周囲面２０ａから、支持部としての突起部３３が水平方向に突出している。突起部３３は、円柱状でも、四角柱状でもよいが、この突起部３３には、連結用ワイヤを挿通させるための貫通孔３３ａが、連結用ワイヤの配線方向に向いて形成されている。図１０（Ｃ）に示す貫通孔３３ａは円形状に形成されているが、多角形状、異形状でもよい。
【００５５】
このように構成されるテンポラリシリンダ１３は、突起部３３に貫通孔３３ａが形成されているため、貫通孔３３ａに連結用ワイヤを挿通させることで、連結用ワイヤを下支えさせることができる。また、連結用ワイヤが貫通孔３３ａに挿通しているため、連結用ワイヤと貫通孔３３ａの内側面とが固定用レジンによってしっかりと接着される。
また、貫通孔３３ａが連結用ワイヤの配線方向に向いて形成されているため、インプラント体に取り付けたテンポラリシリンダ１３に、連結用ワイヤを横方向からそのまま挿通させればよいため、連結用ワイヤの貫通孔３３ａへの挿入が容易である。
更に、連結用ワイヤが貫通孔３３ａに挿通しているため、上顎と下顎とで、テンポラリシリンダ１３の向きが入れ替わっても、連結用ワイヤを担持させることができる。
【００５６】
（第４変形例）
図１０（Ｄ）に示すように、テンポラリシリンダ１３ａは、シリンダ本体２０の周囲面２０ａから、図１に示すテンポラリシリンダ１０と同様に、支持部としての突起部３０が水平方向に突出している。
この突起部３０には、連結用ワイヤを挿通させるための貫通孔３３ａｘが、連結用ワイヤの配線方向と交差する方向に向いて形成されている。図１０（Ｄ）に示す貫通孔３３ａｘは円形状に形成されているが、多角形状、異形状でもよい。
【００５７】
このように構成されるテンポラリシリンダ１３ａは、突起部３０が形成されているため、図１に示すテンポラリシリンダ１０と同様の作用効果を得ることができる。
また、突起部３０に貫通孔３３ａｘが形成されているため、貫通孔３３ａｘに連結用ワイヤを挿通させれば、連結用ワイヤを下支えさせることができる。
また、貫通孔３３ａｘが連結用ワイヤの配線方向と交差する方向に向いて形成されているため、連結用ワイヤを挿通させると、連結用ワイヤが折れた状態となるため、固定用レジンで連結用ワイヤを突起部３０に固定すれば、引張力に対する耐力を向上させることができる。特に、貫通孔３３ａｘを、連結用ワイヤを、配線方向と直交する方向に沿って形成することにより、連結用ワイヤをしっかりと突起部３０に固定することができる。
更に、連結用ワイヤが貫通孔３３ａｘに挿通しているため、テンポラリシリンダ１３ａの向きが入れ替わっても、連結用ワイヤを担持させることができる。
【００５８】
（第５変形例）
図１０（Ｅ）に示すように、テンポラリシリンダ１３ｂは、シリンダ本体２０の周囲面２０ａから、図１に示すテンポラリシリンダ１０と同様に、支持部としての突起部３０が水平方向に突出している。
この突起部３０の先端面３０ｃは、円弧面に形成されている。図１０（Ｅ）では、先端３０ｃが半球状に形成されている。
【００５９】
このように構成されるテンポラリシリンダ１３ｂは、突起部３０が形成されているため、図１に示すテンポラリシリンダ１０と同様の作用効果を得ることができる。
また、突起部３０の先端面３０ｃが半球状の円弧面に形成されているため、患者の口腔内で、突起部の先端が粘膜面に接触しても、粘膜面を傷付けに難くすることができる。
図１０（Ｅ）では、突起部３０が円錐形状であり、その先端面３０ｃが半球状であるが、突起部を円柱と球体とを組み合わせた形状としてもよい。
また、図１０（Ａ）から同図（Ｄ）の突起部３０〜３３の先端面を円弧面としたものとしてもよい。
【００６０】
（第６変形例）
図１０（Ｆ）に示すように、テンポラリシリンダ１３ｃは、シリンダ本体２０の周囲面２０ａに、支持部としての突起部４１が突出している。この突起部４１は、球体状に形成されている。
このように構成されるテンポラリシリンダ１３ｃは、突起部４１が球体状に形成されているため、患者の口腔内で、突起部の先端が粘膜面に接触しても、粘膜面を傷付けに難くすることができる。
【００６１】
テンポラリシリンダ１１〜１３，１３ａ〜１３ｃでは、突起部３０〜３３が、シリンダ本体２０の軸線を中心として、頬側とその反対側との両方から突出しているため、インプラント体１０１に取り付けて連結用ワイヤにより連結するときに、連結用ワイヤを担持させやすい方の突起部３０〜３３を選んで、連結用ワイヤを突起部３０〜３３に配置することができる。
【００６２】
上記テンポラリシリンダ１０〜１３，１３ａ〜１３ｃは、連結用ワイヤを担持する支持部として機能する突起部３０〜３３を備えていたが、突起部の代わりに窪みを、シリンダ本体２０に形成してもよい。支持部を突起部の代わりに窪みとすることで、シリンダ本体２０から支持部を突出させていないため、狭い口腔内でも、連結用ワイヤによる支持部への配置が容易である。
【００６３】
（第７変形例）
図１１（Ａ）に示すテンポラリシリンダ１４は、シリンダ本体２０の先端部２０ｂに、支持部としての窪み３４が形成されている。この窪み３４は、先端部２０ｂの中央部を挟んで、両肩部が切り欠かれるようにして形成された段差である。
この窪み３４に連結用ワイヤを配置して固定用レジンを塗布して硬化させることで、テンポラリシリンダ１４に連結用ワイヤを固定することができる。
【００６４】
このように構成されるテンポラリシリンダ１４は、シリンダ本体２０の先端部２０ｂに窪み３４が形成されているため、窪み３４の段差面３４ａに連結用ワイヤを支持させることで、連結用ワイヤを下支えさせることができる。また、連結用ワイヤを窪み３４に載置して固定用レジンを塗布することで、連結用ワイヤが窪み３４の段差面３４ａと立ち壁面３４ｂとの両面に接触するため、連結用ワイヤと窪み３４のそれぞれの面とが固定用レジンによってしっかりと接着される。
【００６５】
（第８変形例）
図１１（Ｂ）に示すテンポラリシリンダ１５は、シリンダ本体２０の先端部２０ｂに、支持部としての窪み３５が形成されている。この窪み３５は、先端部２０ｂの中央部を深く掘り下げるように切り欠かれた溝である。
この窪み３５に連結用ワイヤを配置して固定用レジンを塗布して硬化させることで、テンポラリシリンダ１５に連結用ワイヤを固定することができる。
【００６６】
このように構成されるテンポラリシリンダ１５は、シリンダ本体２０の先端部２０ｂに窪み３５が形成されているため、窪み３５に連結用ワイヤを載置することで、連結用ワイヤを下支えさせることができる。また、連結用ワイヤを窪み３５に載置して固定用レジンを塗布することで、連結用ワイヤが窪み３５の底面３５ａと溝壁面３５ｂとの両面に接触するため、連結用ワイヤと窪み３５のそれぞれの面とが固定用レジンによってしっかりと接着される。
【００６７】
（第９変形例）
図１１（Ｃ）に示すテンポラリシリンダ１６は、シリンダ本体２０の周囲面２０ａの頬側と、その反対側とに、支持部としての窪み３６が形成されている。この窪み３６は、周囲面２０ａから軸線に向かって切り欠かれた溝である。
上顎の場合には、この窪み３６の溝壁３６ｂであって、シリンダ本体２０の先端部２０ｂ側の溝壁３６ｂに連結用ワイヤを支持させる、または下顎の場合には、この窪み３６の溝壁３６ａであって、シリンダ本体２０の基端部２０ｃ側の溝壁３６ａに連結用ワイヤを支持させて、固定用レジンを塗布して硬化させることで、テンポラリシリンダ１６に連結用ワイヤを固定することができる。
【００６８】
このように構成されるテンポラリシリンダ１６は、シリンダ本体２０の周囲面２０ａに窪み３６が形成されているため、連結用ワイヤを窪み３６に配置することで、連結用ワイヤを下支えさせることができる。また、窪み３６に連結用ワイヤを配置して固定用レジンを塗布することで、連結用ワイヤが窪み３６の溝壁３６ａ，３６ｂのいずれかの面と溝底３６ｃとの両面に接触するため、連結用ワイヤと窪み３６のそれぞれの面とが固定用レジンによってしっかりと接着される。
【００６９】
（第１０変形例）
図１１（Ｄ）に示すテンポラリシリンダ１７は、シリンダ本体２０の周囲面２０ａの頬側と、その反対側とに、支持部としての窪み３７が形成されている。この窪み３７は、周囲面２０ａから軸線に向かって切り欠かれた溝である。また、窪み３７は、連結用ワイヤが挿入される開口部が奥側より狭く形成されている。
このように、テンポラリシリンダ１７では、窪み３７の開口部が奥側より狭く形成されているため、連結用ワイヤを窪み３７に配置すると、テンポラリシリンダ１７から外れに難くすることができる。
【００７０】
（第１１変形例）
図１１（Ｅ）に示すテンポラリシリンダ１８は、シリンダ本体２０の周囲面２０ａの頬側、または、その反対側に、支持部としての窪み３８が形成されている。この窪み３８は、周囲面２０ａからシリンダ本体２０の軸線を超えて、深く切り欠かれた溝である。
このように、テンポラリシリンダ１８では、窪み３８が軸線より深く形成されているため、連結用ワイヤを窪み３８に配置すると、窪み３８から出難くすることができるため、テンポラリシリンダ１８から外れに難くすることができる。
【００７１】
（第１２変形例）
上記テンポラリシリンダ１４〜１８では、連結用ワイヤを担持する支持部として機能する窪み３４〜３８がシリンダ本体２０に形成されていたが、窪みの代わりに貫通孔を、シリンダ本体２０に形成してもよい。
図１２に示すテンポラリシリンダ１９では、シリンダ本体２０に連結用ワイヤを挿通させるための貫通孔３９が形成されている。図１２に示す貫通孔３９は矩形状に形成されているが、円形状、多角形状、異形状でもよい。
【００７２】
このように構成されるテンポラリシリンダ１９は、シリンダ本体２０に貫通孔３９が形成されているため、貫通孔３９に連結用ワイヤを挿通させることで、連結用ワイヤを下支えさせることができる。また、連結用ワイヤが貫通孔３９に挿通しているため、連結用ワイヤと貫通孔３９の内側面とが固定用レジンによってしっかりと接着される。
更に、連結用ワイヤが貫通孔３９に挿通しているため、テンポラリシリンダ１３の向きが入れ替わっても、連結用ワイヤを担持させることができる。
【００７３】
テンポラリシリンダ１４，１６，１７，１９では、窪み３４，３６，３７および貫通孔３９が、シリンダ本体２０の軸線を中心として、頬側とその反対側との両方に形成されているため、インプラント体１０１に取り付けて連結用ワイヤにより連結するときに、連結用ワイヤを担持させやすい方の窪み３４，３６，３７または貫通孔３９を選んで、連結用ワイヤを配置することができる。
【００７４】
このように構成されたテンポラリシリンダ１０〜１９（図１，図１０，図１１および図１２参照）を、テンポラリアバットメントとすることができる。
テンポラリシリンダ１０〜１９をテンポラリアバットメントとするときには、テンポラリシリンダ１０〜１９を次のように加工する。なお、図１３（Ａ）においては、テンポラリシリンダ１０を図示している。
【００７５】
シリンダ本体２０に突起部３０〜３３，４１が設けられたテンポラリシリンダ１０〜１３，１３ａ，１３ｂ，１３ｃである場合には、突起部３０〜３３，４１を、切断治具などにより切除する（図１３（Ａ）の切断線Ｃ１）。そして、上部構造の高さに合わせてシリンダ本体２０の先端部２０ｂ側を切除することで、シリンダ本体２０を短くする（図１３（Ａ）の切断線Ｃ２）。
【００７６】
また、シリンダ本体２０に窪み３４〜３８が設けられたテンポラリシリンダ１４〜１８である場合には、窪み３４〜３８を含む先端部２０ｂ側を上部構造の高さに合わせて切除することで、シリンダ本体２０を短くする。
更に、シリンダ本体２０に貫通孔３９が設けられたテンポラリシリンダ１９である場合には、貫通孔３９を含む先端部２０ｂ側を上部構造の高さに合わせて切除する。
そうすることでシリンダ本体２０の残余部分を、テンポラリアバットメントとすることができ、テンポラリシリンダ１０〜１９を廃棄せずに、利用することができる。
【００７７】
また、突起部３０〜３３が設けられたテンポラリシリンダ１０〜１３，１３ａ，１３ｂである場合には、突起部３０〜３３を切除し、上部構造を作製した後に、上部構造から突出したシリンダ本体２０を切除してもよい。
同様に、テンポラリシリンダ１４〜１９においても、上部構造を作製した後に、上部構造から突出したシリンダ本体２０を切除してもよい。
そうすることで、スクリュードライバを挿入するための挿入口（アクセスホール）が、上部構造の歯冠部に、テンポラリシリンダ１０〜１９の切断面によりできるため、上部構造の歯頸部から歯冠部までを金属棒により支持させることができる。
【００７８】
なお、テンポラリシリンダ１０〜１９においては、基端部２０ｃから先端部２０ｂに向かって先細り形状とすることができる。図１３（Ｂ）に示すシリンダ本体２０ｍでは、突起部や窪みは省略している。
シリンダ本体２０ｍを先細り形状とすることで、上部構造を作製してシリンダ本体２０ｍから作製したテンポラリアバットメントに被せるときに、テンポラリアバットメントの先端部の外径より、上部構造の穴の開口部の内径が大きいため、上部構造を被せやすい。
特に、上部構造としてブリッジを被せるときには、ブリッジを被せる方向が制約される。しかし、シリンダ本体２０ｍを先細り形状とすることで、ブリッジでも被せやすくすることができる。
このように、シリンダ本体２０ｍが先細り形状に形成されていることで、口腔内の状態をより精密に再現でき、より正確な上部構造を患者に提供できる。
【００７９】
次に、本実施の形態に係るテンポラリシリンダを連結するための連結部材を図面に基づいて説明する。
連結用部材は、ワイヤ状の連結用ワイヤを用いることができる。この連結用ワイヤは、金属細線を撚り合わせたもので、変形させると、その変形した形状を保持する剛性を有している。
図１４（Ａ）および同図（Ｂ）に示す連結用ワイヤ１１６，１１７は、図８および図９に示す連結用ワイヤの両端部であって、テンポラリシリンダ１０，１３の間隔から外側の両端部（１１６ａ，１１６ｂ、１１７ａ，１１７ｂ）を折り曲げて、テンポラリシリンダ１０，１３を連結している。なお、図１４（Ａ）および同図（Ｂ）では、固定用レジンは図示してない。
【００８０】
図１４（Ａ）に示す連結用ワイヤ１１６は、図１に示すテンポラリシリンダ１０の突起部３０に載置されて連結している。突起部３０は円錐形状に形成されているため、連結用ワイヤ１１６が突起部３０に載置されると、連結用ワイヤ１１６は突起部３０の基端部側に寄るので滑落し難い。
【００８１】
連結用ワイヤ１１６は、一方の端部１１６ａと他方の端部１１６ｂとが同じ側に折り曲げられているため、連結用ワイヤ１１６を突起部３０に載置するだけで、連結用ワイヤ１１６を安定した状態で、突起部３０に配置することができる。
この状態では、連結用ワイヤ１１６はその配線方向に移動し難くなる。従って、連結用ワイヤ１１６は、突起部３０の突出方向（基端部から先端部へ向かう方向）だけでなく、突起部３０の突出方向と直交する方向にも移動し難くなる。そのため、連結用ワイヤ１１６を突起部３０に仮置きした状態で、固定用レジンで固定することができる。
【００８２】
図１４（Ａ）に示す例では、連結用ワイヤ１１６により、図１に示すテンポラリシリンダ１０を連結していたが、連結用ワイヤ１１６は、図１０（Ａ）から同図（Ｅ）、図１１（Ａ）から同図（Ｅ）および図１２に示すテンポラリシリンダ１１〜１９においても用いることができる。
特に、連結用ワイヤ１１６の両端部１１６ａ，１１６ｂが直角に折り曲げられていることで、安定度を増加させることができる。また、図１０（Ｄ）に示すテンポラリシリンダ１３ａにおいては、連結用ワイヤ１１６を突起部３０に載置する操作で、両端部１１６ａ，１１６ｂを貫通孔３３ａｘに挿通させることができる。
【００８３】
図１４（Ｂ）に示す連結用ワイヤ１１７は、図１０（Ｃ）に示すテンポラリシリンダ１３の突起部３３の貫通孔３３ａに挿通されて連結している。
連結用ワイヤ１１７は、一方の端部１１７ａと他方の端部１１７ｂとが折り曲げられているため、連結用ワイヤ１１７の配線方向に移動し難くなる。
また、連結用ワイヤ１１７の両端部１１７ａ，１１７ｂが異なる側に曲げられているため、連結用ワイヤ１１７を貫通孔３３ａに挿通するときには、それぞれの貫通孔３３ａに対して交互に挿通させることができる。
【００８４】
例えば、先端部２０ｂ側に曲がった一方の端部１１７ａを一方のテンポラリシリンダ１３の貫通孔３３ａに挿通させ、一方の端部１１７ａの折り曲げ部分を中心に直線部分１１７ｃを回動させながら、貫通孔３３ａの位置に直線部分１１７ｃまで進行させた後に、基端部２０ｃに曲がった他方の端部１１７ｂを引きながら、他方のテンポラリシリンダ１３の突起部３３の貫通孔３３ａに挿通させる。
【００８５】
そうすることで、基端部２０ｃに曲がった他方の端部１１７ｂが、先端部２０ｂ側に曲がった一方の端部１１７ａとは異なる側に曲がっているため、連結用ワイヤ１１７の両端部１１７ａ，１１７ｂを、簡単に貫通孔３３ａに挿通させることができる。
このように、患者の狭い口腔内でも、連結用ワイヤ１１７を簡単に配置することができる。
【００８６】
図１４（Ｂ）に示す例では、連結用ワイヤ１１７により、図１０（Ｃ）に示すテンポラリシリンダ１３を連結していたが、図１２に示すテンポラリシリンダ１９でも同様である。
【００８７】
なお、図１４（Ａ）および同図（Ｂ）に示す連結用ワイヤ１１６，１１７は、両端部（１１６ａ，１１６ｂ、１１７ａ，１１７ｂ）が折り曲げられていたが、いずれか一方の端部だけでもよい。また、端部（１１６ａ，１１６ｂ、１１７ａ，１１７ｂ）は鈍角に折り曲げられているが、一方の端部を折り曲げるときには、鋭角としてもよい。
【００８８】
図１４（Ｃ）に示すように、連結用ワイヤ１１８は、一方の端部１１８ａが鋭角に折り曲げられている。こうすることで、連結用ワイヤ１１８の端部１１８ａが、一方のテンポラリシリンダ１０の突起部３０に引っ掛けられれば、他方のテンポラリシリンダ１０の突起部３０には、連結用ワイヤ１１８の端部１１８ａを中心に回転させて、他方の端部１１８ｂを載置することで、突起部３０により他方の端部１１８ｂを支持させることができる。
【００８９】
このとき、他方の端部１１８ｂは折り曲げられていなくてもよいが、他方の端部１１８ｂがシリンダ本体２０の基端部２０ｃ側に鈍角に折り曲げられていると、他方の端部１１８ｂを突起部３０に載置したときに、他方の端部１１８ｂを、更に安定した状態で、突起部３０に配置することができる。
【００９０】
連結用ワイヤ１１８の端部１１８ａが鋭角に折り曲げられているときに、図１４（Ｄ）に示すように、端部１１８ａが連結用ワイヤ１１８自体に至るまで折り曲げられることで、端部１１８ａがリング状に形成されている。
【００９１】
このように、連結用ワイヤ１１８の端部１１８ａがリング状に形成されていることで、最初に、端部１１８ａを、一方のテンポラリシリンダ１０の突起部３０に、突起部３０の先端部側から挿通させ、次に、端部１１８ａを中心に連結用ワイヤ１１８を回転させて、端部１１８ｂを他方のテンポラリシリンダ１０の突起部３０に載置する。そうすることで、突起部３０により他方の端部１１８ｂを支持させることができる。
【００９２】
次に、連結用部材を板状とした場合について、図面に基づいて説明する。
連結用部材は、板状の連結用板材を用いることができる。この連結用板材は、金属製である。なお、図１５では、固定用レジンは図示してない。また、図１５（Ａ）から同図（Ｃ）においては、右側のテンポラリシリンダ１０を一方のテンポラリシリンダ１０、このテンポラリシリンダ１０と隣接する他のテンポラリシリンダ１０を他方のテンポラリシリンダ１０と称す。
【００９３】
図１５（Ａ）に示す連結用板材１１９は、一方のテンポラリシリンダ１０と他方のテンポラリシリンダ１０とを連結している。
連結用板材１１９には、第１欠損部１１９ａと、第２欠損部１１９ｂとが形成されている。第１欠損部１１９ａ（欠損部）は、一端部側に、短手方向に沿って形成された切り欠き部である。第２欠損部１１９ｂは、他端部から中央部まで、連結用板材１１９の長手方向に沿って形成された切り欠き部である。
【００９４】
この連結用板材１１９により一方のテンポラリシリンダ１０と他方のテンポラリシリンダ１０とを連結するときには、まず、第２欠損部１１９ｂを一方のテンポラリシリンダ１０のシリンダ本体２０から突出した突起部３０に嵌め込む。次に、他方のテンポラリシリンダ１０の突起部３０が挿通する第２欠損部１１９ｂの位置を、長手方向に沿ってずらしながら、連結用板材１１９を回転させて、第１欠損部１１９ａを、支持部である突起部３０に挿通させる。
これにより、第１欠損部１１９ａが一方のテンポラリシリンダ１０の突起部３０に引っ掛けられて支持され、第２欠損部１１９ｂが他方のテンポラリシリンダ１０の突起部３０に載置されて担持される。
【００９５】
そして、固定用レジンにて、突起部３０と連結用板材１１９の接続部分を含む範囲を固定する。このようにして、連結用板材１１９によりテンポラリシリンダ１０，１０を連結することができる。連結用板材１１９によりしっかりとテンポラリシリンダ１０，１０を連結することができるため、確実にテンポラリシリンダ１０，１０の位置関係を固定することができる。
【００９６】
図１５（Ｂ）に示す連結用板材１２０は、一方のテンポラリシリンダ１０と他方のテンポラリシリンダ１０とを連結している。
連結用板材１２０には、第１欠損部１２０ａと、第２欠損部１２０ｂとが形成されている。第１欠損部１２０ａ（欠損部）は、一端部側に、短手方向に沿って形成された切り欠き部である。第２欠損部１２０ｂは、他端部から中央部まで、連結用板材１１９の長手方向に沿って形成された長孔である。
【００９７】
この連結用板材１２０により一方のテンポラリシリンダ１０と他方のテンポラリシリンダ１０とを連結するときには、図１５（Ａ）に示す連結用板材１１９と同様の操作で行うことができる。
これにより、第１欠損部１２０が一方のテンポラリシリンダ１０の突起部３０に引っ掛けられて支持され、第２欠損部１２０ｂが他方のテンポラリシリンダ１０の突起部３０に載置されて担持される。
このような連結用板材１２０としても、しっかりとテンポラリシリンダ１０，１０を連結することができるため、確実にテンポラリシリンダ１０，１０の位置関係を固定することができる。
【００９８】
なお、本実施の形態では、テンポラリシリンダ１０，１０を連結用板材１１９，１２０により連結する手順として、第１欠損部１１９ａ，１２０ａを先に取り付け、その後に、第２欠損部１１９ｂ，１２０ｂを取り付けているが、反対の手順としてもよい。
その場合には、第１欠損部１１９ａ，１２０ａは、突起部３０の先端部から基端部に向かって差し込むようにして取り付ける。
【００９９】
また、本実施の形態では、第１欠損部１１９ａ，１２０ａが連結用板材１１９，１２０の長手方向に沿って形成され、第２欠損部１１９ｂ，１２０ｂが短手方向に沿って形成され、開口部を有している。しかし、第１欠損部および第２欠損部は、両端部に、突出部の位置に対応させて設けられた円形状の貫通孔とすることもできる。
【０１００】
図１５（Ｃ）に示す連結用板材１２１は、一方のテンポラリシリンダ１０と他方のテンポラリシリンダ１０を連結している。
連結用板材１２１には、第１欠損部１２１ａと、第２欠損部１２１ｂとが形成されている。第１欠損部１２１ａ（欠損部）は、一端部側に、短手方向に沿って形成された切り欠き部である。第２欠損部１２１ｂは、他端部から中央部まで、連結方向と直交する連結用板材１２１の板幅方向で、第１欠損部１２１ａが開口した側の半分が除去された切り欠き部である。第２欠損部１２１ｂの幅方向における切り欠き位置は、第１欠損部１２１ａの切り欠き位置と同じ位置である。
【０１０１】
この連結用板材１２１により一方のテンポラリシリンダ１０と他方のテンポラリシリンダ１０とを連結するときには、まず、第１欠損部１２１ａを一方のテンポラリシリンダ１０のシリンダ本体２０から突出した突起部３０に挿通させる。次に、突起部３０に挿通させた第１欠損部１２１ａを中心に連結用板材１２１を回転させて、他方のテンポラリシリンダ１０の支持部である突起部３０に載置する。
これにより、第１欠損部１２１ａが一方のテンポラリシリンダ１０の突起部３０に引っ掛けられて支持され、第２欠損部１２１ｂが他方のテンポラリシリンダ１０の突起部３０に載置されて担持される。
【０１０２】
そして、固定用レジンにて、突起部３０と連結用板材１２１の接続部分を含む範囲を固定する。このようにして、連結用板材１２１によりテンポラリシリンダ１０，１０を連結することができる。
【０１０３】
図１５（Ｃ）では、連結用板材１２１に第２欠損部１２１ｂが形成されているため、他方のテンポラリシリンダ１０の突起部３０に連結用板材１２１を載置したときに、連結用板材１２１を水平とすることができる。しかし、連結用板材１２１が傾斜した状態となってもよければ、第２欠損部１２１ｂは省略することができる。
【０１０４】
なお、３本以上のテンポラリシリンダを連結用部材で連結するときには、最初のテンポラリシリンダと２番目のテンポラリシリンダとを連結し、次に２番目のテンポラリシリンダと３番目のテンポラリシリンダとを連結していくように、１本ずつずらしながら上記操作を行って連結部材で連結することで、３本以上のテンポラリシリンダを連結することが可能である。
【産業上の利用可能性】
【０１０５】
本発明は、歯牙が損失した患者にインプラントを施術する際に好適である。
【符号の説明】
【０１０６】
１０〜１３，１３ａ〜１３ｃ，１４〜１９  テンポラリシリンダ
１０ａ，１１ａ，１２ａ  基端
１０ｂ，１２ｂ  先端
２０，２０ｍ  シリンダ本体
２０ａ  周囲面
２０ｂ  先端部
２０ｃ  基端部
２１  挿入口
２２  ねじ孔
３０，３１，３２，３３，４１  突起部
３０ａ，３１ａ  先端部
３０ｂ，３１ｂ  基端部
３０ｃ  先端面
３２ａ  凹部
３３ａ，３３ａｘ  貫通孔
３４，３５，３６，３７，３８  窪み
３４ａ  段差面
３４ｂ  立ち壁面
３５ａ  底面
３５ｂ  溝壁面
３６ａ，３６ｂ  溝壁
３６ｃ  溝底
３９  貫通孔
１００  支台模型
１０１  インプラント体
１０２  インプレッションコーピング
１０３  インプラントアナログ
１１０  歯肉
１１２印象材
１１１  印象トレイ
１１３  石膏
１１４，１１６，１１７，１１８  連結用ワイヤ
１１６ａ，１１６ｂ，１１７ａ，１１７ｂ，１１８ａ，１１８ｂ  端部
１１５  固定用レジン
１１９，１２０，１２１  連結用板材
１１９ａ，１２０ａ，１２１ａ  第１欠損部
１１９ｂ，１２０ｂ，１２１ｂ  第２欠損部
【図１】
0006333677.tif 000002
【図２】
0006333677.tif 000003
【図３】
0006333677.tif 000004
【図４】
0006333677.tif 000005
【図５】
0006333677.tif 000006
【図６】
0006333677.tif 000007
【図７】
0006333677.tif 000008
【図８】
0006333677.tif 000009
【図９】
0006333677.tif 000010
【図１０】
0006333677.tif 000011
【図１１】
0006333677.tif 000012
【図１２】
0006333677.tif 000013
【図１３】
0006333677.tif 000014
【図１４】
0006333677.tif 000015
【図１５】
0006333677.tif 000016